(57)【要約】【課題】ウォブル信号の位相反転個所を検出することでシンク位置を検出し、更にＶＦＯの位置を推定して、ＲＦ信号の調整等を行う光ディスク装置を提供。【解決手段】光ディスクから検出したＲＦ信号及びウォブル信号を生成する生成部と、このウォブル信号に基づいて光ディスク上のシンクやＶＦＯを検出する検出部と、これら検出したタイミングに基づいて、ＲＦ信号を調整する調整部と、調整部で調整されたＲＦ信号を再生する処理部１８とを有する光ディスク装置であり、次世代ＤＶＤＲＡＭ等でヘッダがなくとも、ＶＦＯ位置を認識して、ＲＦ信号等の調整等が容易である。【選択図】    図１
2004355757.tif 000002
【特許請求の範囲】
【請求項１】
光ディスクから検出した反射光に基づいて、ウォブルされたグルーブに応じたウォブル信号、又は、前記光ディスク上の格納情報に応じるＲＦ信号を生成する生成部と、
前記生成部が生成した前記ウォブル信号に基づいて前記光ディスク上の所定位置を示す検出信号を検出する検出部と、
前記検出部が検出した前記検出信号のタイミングに基づいて、前記ＲＦ信号を調整する調整部と、
前記調整部で調整されたＲＦ信号に基づいて、前記光ディスクに格納された情報を再生する処理部と、を具備することを特徴とする光ディスク装置。
【請求項２】
前記調整部は、前記ＲＦ信号の電位レベルを調整するための起動信号を発生し、これに基づいて、前記ＲＦ信号の電位レベルを調整することを特徴とする請求項１記載の光ディスク装置。
【請求項３】
前記調整部は、前記ＲＦ信号のタイミングを調整するための起動信号を発生し、これに基づいて、前記ＲＦ信号のタイミングを調整することを特徴とする請求項１記載の光ディスク装置。
【請求項４】
前記検出部が検出した前記検出信号のタイミングに基づき記録開始を制御する記録開始制御部と、
前記記録開始制御部の制御により、与えられた信号に応じて前記光ディスクの記憶領域に記録する記録部とを更に有することを特徴とする請求項１記載の光ディスク装置。
【請求項５】
前記検出部は、前記生成部が生成したウォブル信号の中に、所定数のウォブル周期毎の位相反転個所を検出したことにより、前記所定位置であるシンクを検出することを特徴とする請求項１記載の光ディスク装置。
【請求項６】
前記検出部は、前記生成部が生成したウォブル信号の中に、第１位相反転個所から６ウォブルを置いて第２位相反転個所、第２位相反転個所から４ウォブルを置いて第３位相反転個所、第３位相反転個所から６ウォブルを置いて第４位相反転個所を有する場合、これをシンクとして検出するシンク検出部を有することを特徴とする請求項１記載の光ディスク装置。
【請求項７】
前記検出部は、前記生成部が生成したウォブル信号の中に、所定数のウォブル周期毎の位相反転個所を検出することで、シンクを検出するシンク検出部と、
前記シンク検出部が検出した前記シンクから、所定数のウォブルが経過した個所を次のシンクとして認識するフライホイールカウンタと、
を有することを特徴とする請求項１記載の光ディスク装置。
【請求項８】
前記検出部は、前記生成部が生成したウォブル信号の中に、所定数のウォブル周期毎の位相反転個所を検出することで、シンクを検出するシンク検出部と、
前記所定位置から前記シンク検出部が検出した前記シンクの数をカウントしてこれが一定数となるシンクの位置を、次の前記所定位置であると判断するシンクカウンタ部を更に有することを特徴とする請求項１記載の光ディスク装置。
【請求項９】
光ディスクから検出した反射光に基づいて、ウォブルされたグルーブに応じたウォブル信号、又は、前記光ディスク上の格納情報に応じるＲＦ信号を生成する生成部と、
前記生成部が生成した前記ウォブル信号に基づいて、前記ＲＦ信号を調整する処理部と、を具備することを特徴とする光ディスク装置。
【請求項１０】
前記処理部は、前記ウォブル信号に基づいて、前記ＲＦ信号の電位レベル又はタイミングの少なくとも一方を調整することを特徴とする請求項９記載の光ディスク装置。
【請求項１１】
光ディスクから検出した反射光に基づいて、前記光ディスク上の格納情報に応じるＲＦ信号、及び、ウォブルされたグルーブに応じたウォブル信号を生成し、
前記ウォブル信号に基づいて前記光ディスク上の所定位置を示す検出信号を検出し、
前記検出信号のタイミングに基づいて、前記ＲＦ信号を調整し、
前記調整されたＲＦ信号に基づいて、前記光ディスクに格納された情報を再生することを特徴とする光ディスク処理方法。
【請求項１２】
前記調整において、前記ＲＦ信号の電位レベルを調整するための起動信号を発生し、これに基づいて、前記ＲＦ信号の電位レベルを調整することを特徴とする請求項１１記載の光ディスク処理方法。
【請求項１３】
前記調整において、前記ＲＦ信号のタイミングを調整するための起動信号を発生し、これに基づいて、前記ＲＦ信号のタイミングを調整することを特徴とする請求項１１記載の光ディスク処理方法。
【請求項１４】
前記検出した前記検出信号のタイミングに基づき記録開始を制御し、
前記制御により、与えられた信号に応じて前記光ディスクの記憶領域に記録することを特徴とする請求項１１記載の光ディスク処理方法。
【請求項１５】
前記検出において、前記ウォブル信号の中に、所定数のウォブル周期毎の位相反転個所を検出したことにより、前記所定位置であるシンクを検出することを特徴とする請求項１１記載の光ディスク処理方法。
【請求項１６】
前記検出において、前記ウォブル信号の中に、第１位相反転個所から６ウォブルを置いて第２位相反転個所、第２位相反転個所から４ウォブルを置いて第３位相反転個所、第３位相反転個所から６ウォブルを置いて第４位相反転個所を有する場合、これをシンクとして検出することを特徴とする請求項１１記載の光ディスク処理方法。
【請求項１７】
前記検出において、前記ウォブル信号の中に、所定数のウォブル周期毎の位相反転個所を検出することで、シンクを検出し、
前記検出したシンクから、所定数のウォブルが経過した個所を次のシンクとして認識することを特徴とする請求項１１記載の光ディスク処理方法。
【請求項１８】
前記検出において、前記ウォブル信号の中に、所定数のウォブル周期毎の位相反転個所を検出することで、シンクを検出し、
前記所定位置から前記シンクの数をカウントしてこれが一定数となるシンクの位置を、次の前記所定位置であると判断することを特徴とする請求項１１記載の光ディスク処理方法。
【請求項１９】
光ディスクから検出した反射光に基づいて、前記光ディスク上の格納情報に応じるＲＦ信号、及び、ウォブルされたグルーブに応じたウォブル信号を生成し、
前記ウォブル信号に基づいて、前記ＲＦ信号を調整することを特徴とする光ディスク処理方法。
【請求項２０】
前記調整において、前記ウォブル信号に基づいて、前記ＲＦ信号の電位レベル又はタイミングの少なくとも一方を調整することを特徴とする請求項１９記載の光ディスク処理方法。
【発明の詳細な説明】
【０００１】
【発明の属する技術分野】
この発明は、光ディスク装置に関し、特に、ウォブル信号を扱う光ディスク装置及び光ディスク処理方法に関する。
【０００２】
【従来の技術】
最近、光ディスク装置の改良・普及が進み、この分野の諸技術においても、高い水準のものが要望されている。この一つとして、光ディスク上に設けられたウォブルドプリグルーブを検出しこれに応じて生成されるウォブルクロックの利用がある。
【０００３】
これに関連した従来技術として、ランドプリピットがランドの内周側又は外周側に偏って形成されていても、光ビームスポットを情報記録トラックの中央部に正確に位置制御することができる例がある（例えば、特許文献１参照）。ここでは、検出したウォブル信号を利用して、光ビームスポットのずれを位置制御するものであり、ウォブル信号を利用した従来技術であるといえる。
【０００４】
【特許文献１】
特開２００２−２６０２３７号公報。
【０００５】
【発明が解決しようとする課題】
しかしながら、上述した従来技術においては、ここで課題としている、次世代のＤＶＤ（Ｄｉｇｉｔａｌ  Ｖｅｒｓａｔｉｌｅ  Ｄｉｓｋ）−ＲＡＭ（Ｒａｎｄｏｍ  Ａｃｃｅｓｓ  Ｍｅｍｏｒｙ）等のように、ヘッダが設けられていない場合の、ディスク中のＶＦＯ（Ｖａｒｉａｂｌｅ  Ｆｒｅｑｕｅｎｃｙ  Ｏｓｃｉｌｌａｔｏｒ）の検出については、何も述べられてはいないという問題がある。
【０００６】
本発明は、ウォブル信号の位相反転個所を検出することでシンク位置を検出し、これに基づいて、ディスク中のＶＦＯの位置を推定し、ＲＦ信号の調整等を行う光ディスク装置及び光ディスク処理方法を提供することを目的とする。
【０００７】
【課題を解決するための手段】
本発明は、光ディスクから検出した反射光に基づいて、ウォブルされたグルーブに応じたウォブル信号、又は、前記光ディスク上の格納情報に応じるＲＦ信号を生成する生成部と、前記生成部が生成した前記ウォブル信号に基づいて前記光ディスク上の所定位置を示す検出信号を検出する検出部と、前記検出部が検出した前記検出信号のタイミングに基づいて、前記ＲＦ信号を調整する調整部と、前記調整部で調整されたＲＦ信号に基づいて、前記光ディスクに格納された情報を再生する処理部とを具備することを特徴とする光ディスク装置である。
【０００８】
本発明に係る光ディスク装置においては、例えば、次世代のＤＶＤ−ＲＡＭ等のようにヘッダが設けられていないディスクにおいても、ディスク中のＶＦＯの位置を的確に認識するべく、ウォルブ信号の位相反転個所が、例えば、６Ｔ，４Ｔ，６Ｔであることを検出する等して、シンク位置を検出し、これに基づいて、ＶＦＯの位置を知るものである。更に、このＶＦＯの位置に応じて、例えば、ＲＦ信号の電位レベルを調整したり、そのタイミング調整を行うことが可能となる光ディスク装置及び光ディスク処理方法を提供することができる。
【０００９】
【発明の実施の形態】
以下、図面を参照してこの発明の実施形態の一つである光ディスク装置を以下に詳細に説明する。図１は、本発明の一実施の形態である光ディスク装置を示すブロック図、図２は、本発明の他の一実施の形態である光ディスク装置を示すブロック図、図３は、本発明の一実施の形態である光ディスク装置が検出するシンクとＶＦＯとの関係を示す説明図、図４は、本発明の一実施の形態である光ディスク装置が検出するシンクと位相反転との関係を示す説明図、図５は、本発明の一実施の形態である光ディスク装置が制御するＲＦ信号の電位レベル調整を説明するグラフ、図６は、本発明の一実施の形態である光ディスク装置が制御するＲＦ信号のタイミング調整を説明するグラフである。
【００１０】
＜本発明に係る光ディスク装置＞
（基本構成・動作）
図１において、本発明の一実施の形態である光ディスク装置Ａは、記憶領域としてのＲＯＭ２０とＲＡＭ２１、全体の動作を制御するシステム制御部２２を有しており、更に、駆動系として、光ディスクＤを所定回転数で回転させる回転モータＭと、これを制御するサーボ制御部１２とを有している。更に、光ディスクＤに対して、情報の書き込み及び読み出しを行うピックアップヘッドＰＵＨを有しており、これは、少なくとも、対物レンズＬと、一例として４分割のフォトデテクタＰＤと、レーザを照射するレーザダイオードＬＤとを有している。
【００１１】
又、サーボ制御部１２は、サーボ制御系各処理回路１５が接続されており、サーボ制御系各処理回路１５には、図示しない対物レンズ誘導回路やフォーカス制御回路、対物レンズ駆動信号切替器、対物レンズ駆動回路やウォブル（ＷＢ）信号検出部等が含まれており、フォーカス引き込み動作等を行う。
【００１２】
又、光ディスク装置Ａは、ピックアップヘッドＰＵＨのフォトデテクタＰＤからの検出信号が供給されるプリアンプ１１と、プリアンプ１１からの増幅信号が供給されるＲＦ回路１６と、ウォブル制御回路２６とを有している。更に、ＲＦ回路１６は、外部から与えられる記録すべき信号や、ピックアップヘッドＰＵＨで検出された検出信号に、変調・復調処理やＥＣＣ処理を施すためのデータ処理部１８を有しており、作業領域を提供するＲＡＭ１９や、外部装置との信号の仲介を行うＩ／Ｆ２５等に接続されている。
【００１３】
ここで、データ処理部１８においては、ＲＦ回路１６からのＲＦ信号の電位レベルを調整する電位レベル調整部４１と、そのタイミングを調整するタイミング調整部４２とを更に有している。更に、図２においては、記録開始制御部４３が示されている。
【００１４】
更に、本発明に固有のものであるウォブル制御部２６においては、プリアンプ１１からの検出信号（Ａ，Ｂ，Ｃ，Ｄ）が供給されるプッシュプル回路２７と、その出力が供給されるバンドパスフィルタ２８、その出力が供給されるウォブルＰＬＬ回路２９を有している。更に、バンドパスフィルタ２８の出力が供給されるシンク検出回路３０と、シンク検出回路３０とウォブルＰＬＬ回路２９の出力とが供給されるフライホイールカウンタ３１と、このフライホイールカウンタ３１の出力により起動信号がそれぞれ出力される電位レベル調整起動発生部３２と、タイミング調整起動発生部３３とを有している。更に、図２においては、フライホイールカウンタ３１の後に、シンクの数をカウントして、ＶＦＯの位置を確実に検出するためのシンクカウンタ３５を更に有している。
【００１５】
このような構成において、システム制御部２２はＲＡＭ２１を作業エリアとして使用し、ＲＯＭ２０に記録された本発明を含むプログラムに従って所定の動作を行う。光ピックアップＰＵＨから出力された光は、光ディスクＤに照射される。光ディスクＤからの反射光は、プリアンプ１１で電気信号に変えられる。この電気信号は、ＲＦ回路１６を介してデータ処理部１８に入力される。
【００１６】
サーボ制御系各処理回路１５に含まれる、図示しない対物レンズ誘導回路やフォーカス制御回路、対物レンズ駆動信号切替器、対物レンズ駆動回路やウォブル（ＷＢ）信号検出部等は、フォーカス引き込み動作等を行う。
【００１７】
データ書込み動作時は、データ処理部１８が図示しないライトチャンネル回路で作られた書込みクロックを用いて、インターフェース２５を通して送られてくるデータに誤り検出符号（ＥＤＣ）やＩＤを付加し、サーボ安定の為のデータスクランブル処理を施し、更に、誤り訂正符号（ＥＣＣ）を付加し、同期信号を付加する。更に、併せて、同期信号以外を変調し、図示しない書込みパワー制御部に送って、対応メディアに最適なライトストラテジによって、図示しないレーザダイオード駆動回路を通して、メディアに信号を書き込む。
【００１８】
又、データ読出し時は、光ピックアップＰＵＨからの検出信号がプリアンプ１１で増幅され、ＲＦ回路１６で生成されたＲＦ信号は、最適イコライザを通して、図示しない読取りバッファとＰＬＬ回路に送られる。ＰＬＬ回路で作られた読出しクロックで、読取りバッファにチャンネルデータが読み取られる。読み取られたデータは、データ処理部１８で、同期化されシンボルデータが読出される。その後、誤り訂正やデスクランブル処理が行われ、インターフェース２５を介して外部装置等に転送される。
【００１９】
＜ＶＦＯ検出処理＞
（概要）
次に、本発明に係るウォブル制御部２６の動作により、ディスク中のＶＦＯの検出動作等について、以下に、図面を用いて詳細に説明する。
例えば、次世代ＤＶＤＲＡＭ等は、ヘッダを有しておらず、従って、ＶＦＯ領域を検出することが困難になる場合があるとされている。ここで、ウォブルアドレスコーディングされているＲＡＭディスクにおいては、図３に示すように、ウォブルのシンクＳＮＫ位置を特定することで、一つのセグメントＳＧの先端にあるＶＦＯ領域を推定することが可能となる。
【００２０】
すなわち、ウォブル信号ＷからシンクパターンＳＮＫを検出すると、このタイミングでＲＦ信号処理系の起動を行うことができる。ＶＦＯ部分から始まるところが新しく記録が開始された部分であるので、図３に示すように、ウォブルのシンクタイミングから矢印のように、所定期間の遅延を行い、ＶＦＯ部分が始まったところで起動用信号を出力するものである。
【００２１】
更に、ウォブル信号Ｗから、特定のシンクを検出する手順を、図３及び図４を用いて説明する。すなわち、このウォブルシンクから始まりその後アドレスデータが続く繰り返しをここでは１ウォブルユニットと呼ぶ。
【００２２】
すなわち、このディスク方式では、ウォブル信号の位相を反転させることで“０”と“１”を表すのであり、図４に示すウォブルドグルーブは、４箇所の位相反転個所を持っており、それぞれの位相反転個所の間隔は、６周期、４周期、６周期となっている。つまり、ここでシンクパターンを６周期の“１”、４周期の“０”、６周期の“１”と定義すれば、ウォブル信号の中から、このような位相反転個所を検出した時に、シンク位置を検出することが可能となる。
【００２３】
（構成と動作）
このようなシンク検出及びＶＦＯ検出、更に、このＶＦＯ位置を示すタイミング信号に基づくＲＦ信号の調整、又は、記録処理の制御を行う構成と動作について、以下に詳細に説明する。
【００２４】
光ディスクＤには、ディスクの線速度変化に対応した書き込みクロックを作る等のリードチャネル信号処理のタイムベースを得る手がかりとして、ウォブリング、つまりラジアル方向にグルーブが振動しているグルーブが構成されている。光ディスク装置では、このウォブル信号周期を再生し、処理用クロックをこれに同期発生させている。又、上述したように、ウォブリングされたグルーブには、物理アドレス及びその検出のためのシンクが、位相変調によりコーディングされている。
【００２５】
レーザダイオードＬＤで発生されたレーザ光は、対物レンズＬでディスクＤの面上に絞られ、その反射光に基づく検出信号がフォトデテクタＰＤに導かれる。フォトデテクタＰＤでは、例えば４つの分割された受光面をもち、回折方向に応じた光の強さが弁別できるようになっている。これらの出力は微量な電流であるので後ほどの処理がしやすいように大きな電圧にプリアンプ１１で増幅される。
【００２６】
プリアンプ１１の出力信号はいくつかに分配され、その一つはＲＦ回路１６に入力される。ここではリードチャネルのＲＦ信号を読むための加算処理が行われて生成されたＲＦ信号がデータ処理部１８に供給される。このＲＦ信号は、データ処理部１８に含まれる電位レベル調整部４１に供給される。更に、電位レベル調整部４１の出力は、タイミング調整部４２に供給される。
【００２７】
ここで、ウォブル制御回路２６の電位レベル調整起動発生部３２から起動信号が電位レベル調整部４１に供給され、更に、タイミング調整起動発生部３３から起動信号がタイミング調整部４２に供給されることで、ＲＦ信号が、適正なタイミング（ＶＦＯに同期して）により、レベル処理及びタイミング処理が施されることとなる。
【００２８】
図５及び図６は、ＲＦ信号の電位レベル調整部４１による調整と、タイミング調整部４２による調整とを示すグラフである。すなわち、図５においては、直流レベル引き込み前のＲＦ信号Ｓ１が、電位レベル調整部４１の調整により、直流レベル引き込み後のＲＦ信号Ｓ２へと変化しており、Ａ／Ｄコンバータ入力電圧レンジの最大と最終との中心へと適正に調整されていることがわかる。そして、この調整のタイミングは、記録データが始まるＶＦＯ位置に同期したタイミングによりなされるものである。
【００２９】
又、図６に示すように、ロック前のＲＦ信号Ｓ３は、ＰＬＬクロックＣとタイミングがづれているのに対して、タイミング調整部４２の調整により、ロック後のＲＦ信号Ｓ４は、ＰＬＬクロックＣに同期がとれていることがわかる。そして、このタイミング調整が行われるタイミングは、記録データが始まるＶＦＯ位置に同期したタイミングによりなされるものである。
【００３０】
このように適正なタイミングで電位レベルとタイミングが調整されたＲＦ信号は、更に、後段の訂正処理等に導かれて、適正に再生処理が行われるものである。これにより、次世代ＤＶＤＲＡＭのように、ヘッダが設けられていない場合においても、ウォブル信号からシンク等を検出し、このタイミングで、ＶＦＯ位置を推定することで、最適なタイミングでの再生処理が可能となる。
【００３１】
又、更に、図２に示すように、ＶＦＯに応じたタイミング信号を受けることで、記録開始制御起動発生部３４は、記録開始制御起動信号をデータ処理部１８の記録開始制御部４３に供給することで、与えられた情報を、ＶＦＯに同期させて確実に記録処理を行うことが可能となる。
【００３２】
（シンクの検出と起動信号の生成）
次に、ウォブルのシンクの検出と、起動信号の生成について、図１及び図２を用いて、詳細に説明する。プリアンプ１１の出力は、プッシュプル信号回路２７にも入力される。ここでは、グルーブからのラジアル回折光のバランスを示しているプッシュプル信号を、プリアンプ１１からの信号から演算生成し、プッシュプル信号に現れる光ディスクＤのグルーブのウォブリングの様子を得て、ウォブル信号の周波数と位相の検出、アドレスデータシンクの検出を行っている。
【００３３】
プッシュプル回路２７で生成されたプッシュプル信号は、バンドパスフィルタ２８により不要なリードチャネルのＲＦ信号の一部や直流成分が減衰され、ウォブルドグルーブの変化にほぼ対応するウォブル信号Ｗとして、ウォブルＰＬＬ回路２９とシンク検出器３０に供給される。
【００３４】
ウォブルＰＬＬ回路２９では、リードチャネルＲＦ信号などが含まれるＳ／Ｎの良くないウォブル信号Ｗに基づき、純粋なウォブルクロックに近い信号（ロックドウォブル信号）であるウォブルＰＬＬ信号ＷＰＬＬを同期発振している。ウォブルＰＬＬ信号ＷＰＬＬは、ＰＬＬによってフライホイール効果を持っているので、ウォブルがシンクやアドレスで位相変調されていても、基本の位相のまま発振し続けることができる。ウォブルＰＬＬ信号ＷＰＬＬは、シンク検出器３０とフライホイールカウンタ３１に、ウォブルの１周期の長さ情報を与える。
【００３５】
又、光ディスクシステム全体では、このウォブル周波数を定数倍などして記録時のビットクロックの生成や再生のＲＦ信号処理での周波数情報として用いられるがここでは詳しく触れない。
【００３６】
次に、シンク検出器３０は、バンドパスフィルタ２９から供給されるウォブル信号Ｗと、ウォブルＰＬＬ回路２９から出力されるウォブルＰＬＬ信号ＷＰＬＬとを受けることで、上述したように定義されたシンク位置を特定するものである。すなわち、シンク検出器３０では、バンドパスフィルタ２８から供給されるウォブル信号Ｗを、ロックドウォブルの波長単位でロックドウォブルの位相を基準として、図３及び図４に示したように、位相反転個所とウォブル周期から、例えば、６Ｔ、４Ｔ，６Ｔの位相反転を検出し、これにより、シンクを検出する。シンクを検出すると、フラグを発生させ、このフラグはフライホイールカウンタ３１に入力される。
【００３７】
フライホイールカウンタ３１では、一つのシンク位置から、ウォブル周期信号（ロックドウォブル）をカウントすることによって、次のシンクが検出されるまでのウォブルの周期信号を生成する。一例として、約１５００周期のウォブルの間隔で、シンクが設けられる場合がある。
【００３８】
このようにフライホイールカウンタ３１を設けて、シンク間のウォブルの周期をカウントすることにより、シンク検出器３０においてノイズ等の影響によりシンク検出に失敗した場合であっても、フライホイールカウンタ３１の働きにより、シンク検出信号が、後段の電位レベル調整起動発生部３２やタイミング調整起動発生部３３、又、図２の記録開始制御起動発生部３４へ、確実に供給することができる。又、図３に示すように、シンクとＶＦＯとに所定間隔が存在する場合でも、フライホイールカウンタ３１の遅延機能により、確実に、ＶＦＯに応じたタイミング信号を後段に供給することができる。
【００３９】
又、更に、図２に示すシンクカウンタ部３５をフライホイールカウンタ３１の後段に設けることにより、例えば、次世代ＤＶＤＲＡＭにおいて、一例として、７つのシンク置きに、ＶＦＯが設けられている場合に対応することができる。すなわち、先のＶＦＯの位置から、フライホイールカウンタ３１からのシンク検出信号によるシンクをカウントして、７番目をカウントした位置に、次のＶＦＯが存在することがわかる。このように、シンクカウンタ部３５を設けることにより、複数のシンクが一つのＶＦＯに対応する場合でも、確実に、ＶＦＯ等に同期したタイミング信号を、後段の電位レベル調整起動発生部３２やタイミング調整起動発生部３３、又、図２の記録開始制御起動発生部３４へ供給することが可能となる。
【００４０】
以上、本発明に係る光ディスク装置のウォブル制御回路の働きにより、例えば、次世代ＤＶＤＲＡＭ等のヘッダがないディスクにおいても、ウォブル信号のシンク等を検出し、ＶＦＯに応じたタイミングで、例えば、ＲＦ信号のレベル調整・タイミング調整を可能とするものである。
【００４１】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００４２】
【発明の効果】
以上、本発明によれば、次世代ＤＶＤＲＡＭ等のヘッダがないディスクにおいても、ウォブル制御部を用いてウォブル信号のシンク等を検出し、ＶＦＯに応じたタイミングで、例えば、ＲＦ信号のレベル調整・タイミング調整を可能とする光ディスク装置及び光ディスク処理方法を提供する。
【図面の簡単な説明】
【図１】本発明の一実施の形態である光ディスク装置を示すブロック図。
【図２】本発明の他の一実施の形態である光ディスク装置を示すブロック図。
【図３】本発明の一実施の形態である光ディスク装置が検出するシンクとＶＦＯとの関係を示す説明図。
【図４】本発明の一実施の形態である光ディスク装置が検出するシンクと位相反転との関係を示す説明図。
【図５】本発明の一実施の形態である光ディスク装置が制御するＲＦ信号の電位レベル調整を説明するグラフ。
【図６】本発明の一実施の形態である光ディスク装置が制御するＲＦ信号のタイミング調整を説明するグラフ。
【符号の説明】Ａ…光ディスク装置、ＰＤ…フォトデテクタ、ＰＵＨ…ピックアップヘッド、ＬＤ…レーザダイオード、１１…プリアンプ、１２…サーボ制御部、１３…アクチュエータドライバ、１５…サーボ制御系各処理回路、１６…ＲＦ回路、１８…データ処理部、１９…ＲＡＭ、２２…システム制御部、２６…ウォブル制御回路、２７…プッシュプル回路、２８…バンドパスフィルタ、２９…ウォブルクロック再生部、３０…シンク検出部、３１…フライホイールカウンタ３１、３２…電位レベル調整起動発生部、３３…タイミング調整起動発生部。
【図１】
2004355757.tif 000003
【図２】
2004355757.tif 000004
【図３】
2004355757.tif 000005
【図４】
2004355757.tif 000006
【図５】
2004355757.tif 000007
【図６】
2004355757.tif 000008